(57)【要約】【課題】無線通信を必要とするメニューの動作可否をメニュー選択前に容易に確認できる無線通信端末。【解決手段】第１の無線通信手段１０と第２の無線通信手段１１と、第１の無線通信手段に対応する第１の表示色と第２の無線通信手段に対応する第２の表示色で受信レベルを表示する電波アイコンと、第１の無線通信手段を必要とするメニュー項目が動作するか否かを第１の表示色のメニューアイコンで表示し、第２の無線通信手段を必要とするメニュー項目が動作するか否かを第２の表示色のメニューアイコンで表示するメニュー画面とを備えることにより、利用者は電波アイコンの電波受信レベルと色を見て、無線通信手段の動作が可能であり、電波アイコンの表示色と同じ色表示されたメニューアイコンが付されたメニューが利用可能であることが容易に確認できる。【選択図】図１
2011239049.tif 000002
【特許請求の範囲】
【請求項１】
第１の無線通信手段と
第２の無線通信手段と、
前記第１の無線通信手段に対応する第１の表示色と前記第２の無線通信手段に対応する第２の表示色で受信レベルを表示する電波アイコンと、
前記第１の無線通信手段を必要とするメニュー項目が動作するか否かを前記第１の表示色のメニューアイコンで表示し、前記第２の無線通信手段を必要とするメニュー項目が動作するか否かを前記第２の表示色のメニューアイコンで表示するメニュー画面と、
を備える無線通信端末。
【請求項２】
前記メニュー画面に表示された前記メニューアイコンは、前記メニュー項目が動作可能となったときに点滅表示する請求項１に記載の無線通信端末。
【請求項３】
前記メニュー項目に対応するメニューアイコンを複数配置する請求項１に記載の無線通信端末。
【請求項４】
前記無線通信手段に対応する色情報に基づいて受信レベルを表示する電波アイコンを複数配置する請求項１に記載の無線通信端末。
【請求項５】
第１の無線通信手段と第２の無線通信手段とを備えた無線通信端末において、
電波アイコンについて、前記第１の無線通信手段に対応する第１の表示色で表示し、前記第２の無線通信手段に対応する第２の表示色で表示するステップと、
メニュー画面を前記第１の無線通信手段を必要とするメニュー項目が動作するか否かを前記第１の表示色のメニューアイコンで表示し、前記第２の無線通信手段を必要とするメニュー項目が動作するか否かを前記第２の表示色のメニューアイコンで表示するステップとを、
を備えるメニュー表示方法。
【発明の詳細な説明】
【技術分野】
【０００１】
本発明は、無線通信を必要とするメニューの動作可否を表示する無線通信端末および無線通信端末の画面表示方法に関するものである。
【背景技術】
【０００２】
従来の無線通信端末は、複数の通信サービスに対応した電波アイコンの表示色を指定する色情報を記憶するサービス別色指定テーブルを備え、選択された通信サービスに対応する色情報をサービス別色指定テーブルから読み出し、読み出した色情報を用いて選択されて通信サービスの受信レベルを表す電波アイコンを画面表示するものが知られている（例えば、特許文献１参照）。
【０００３】
また、携帯電話などの電子機器において、複数のアイコンメニューを表示する際に、利用しようとするアプリケーションが無線通信を利用しない旨を、そのアプリケーションのアイコンに付随させて表示することで、無線通信を無効にしていても動作可能なアプリケーションをユーザに知らせることができるものが知られている。（例えば、特許文献２参照）。
【０００４】
また、デュアルモードの無線通信端末において、表示部にＷｅｂ表示などを行っているときに、例えば通信誤り率、電界強度、基地局からの下り通信速度などの通信状態に応じて、画面の更新を指示するカーソル（枠や矢印）の表示形式を変更（点滅の変更、表示色の変更など）するものが知られている（例えば、特許文献３参照）。
【先行技術文献】
【特許文献】
【０００５】
【特許文献１】特開２００７−２５９０３９号公報
【特許文献２】特開２００７−２８２１９６号公報
【特許文献３】特開２００５−２４４７６７号公報
【発明の概要】
【発明が解決しようとする課題】
【０００６】
しかしながら、特許文献１に記載された従来の無線通信端末においては、選択した通信サービスに対応付けられた色情報に基づいて通信サービスの受信レベルを電波アイコンで画面表示できるが、画面表示された電波アイコンの色より通信サービスの内容（通信方式、通信速度、通信料金など）を理解することはできず、画面表示された電波アイコンの色と通信サービスの内容との関連を事前に記憶しておく必要があり、ユーザにとっては不便であるという課題を有している。
【０００７】
また、特許文献２に記載された従来の無線通信端末においては、アイコンメニューに特別なアイコンを付加表示するためアプリケーション毎に無線通信機能が有効な状態か無効な状態かを判別できるが、特定のアプリケーションがどのような無線通信を必要とするかが画面上で理解できないという課題を有している。
【０００８】
また、特許文献３に記載された従来の無線通信端末においては、通信誤り率、電界強度、基地局からの下り通信速度などの通信状態に応じて、カーソルの表示形式を変更することはできるが、表示されたカーソルと対応する無線ネットワークの内容を同一画面上で理解することはできないという課題を有している。
【０００９】
本発明は、このような従来の課題を解決するためになされたもので、個々の無線通信手段の電波受信レベルを表示する電波アイコンと無線通信手段を必要とするメニューのメニューアイコンとを同一画面上に、且つ電波アイコンの表示色とメニューアイコンの表示色とを同一色で表示することによって、無線通信を必要とするメニューの動作可否をメニュー選択前に容易に確認できる無線通信端末を提供することを目的としたものである。
【課題を解決するための手段】
【００１０】
本発明の無線通信端末は、第１の無線通信手段と第２の無線通信手段と、第１の無線通信手段に対応する第１の表示色と第２の無線通信手段に対応する第２の表示色で受信レベルを表示する電波アイコンと、第１の無線通信手段を必要とするメニュー項目が動作するか否かを第１の表示色のメニューアイコンで表示し、第２の無線通信手段を必要とするメニュー項目が動作するか否かを第２の表示色のメニューアイコンで表示するメニュー画面とを備えている。
【００１１】
この構成により、利用者は電波アイコンの電波受信レベルと色を見て、無線通信手段の動作が可能であり、電波アイコンの表示色と同じ色表示されたメニューアイコンが付されたメニューが利用可能であることが容易に確認できる。
【００１２】
また、本発明の無線通信端末は、メニュー画面に表示されたメニューアイコンは、メニュー項目が動作可能となったときに点滅表示する。これにより、色覚異常の利用者も無線通信手段により希望するサービスが利用可能となったことがわかる。
【００１３】
また、本発明の無線通信端末は、メニュー項目に対応するメニューアイコンを複数配置する。これにより、複数の無線通信手段に対応したメニュー利用可否情報を容易に判別できる。
【００１４】
また、本発明の無線通信端末は、無線通信手段に対応する色情報に基づいて受信レベルを表示する電波アイコンを複数配置している。これにより、複数の無線通信手段の利用可否情報を容易に判別できる。
【発明の効果】
【００１５】
本発明の無線通信端末は、複数の無線通信手段を備え、個々の無線通信手段の電波受信レベルを表示する電波アイコンと無線通信手段を必要とするメニューのメニューアイコンとを同一画面上に、且つ電波アイコンの表示色とメニューアイコンの表示色とを同一色で表示することによって、無線通信を必要とするメニューの動作可否をメニュー選択前に容易に確認できる無線通信端末を提供することができるものである。
【図面の簡単な説明】
【００１６】
【図１】本発明の実施の形態１における無線通信端末の構成を示すブロック図
【図２】本発明の実施の形態１における無線通信端末の電波アイコンテーブルの表示例を示す図
【図３】本発明の実施の形態１における無線通信端末のカラーテーブルの構造例を示す図
【図４】本発明の実施の形態１における無線通信端末のメニューテーブルの構造例を示す図
【図５】本発明の実施の形態１における第１の無線通信手段に対応する表示例を示す図
【図６】本発明の実施の形態１における第２の無線通信手段に対応する表示例を示す図
【図７】本発明の実施の形態１における異なるメニュー項目の表示例を示す図
【図８】本発明の実施の形態１におけるメニューアイコン表示の動作を示すフローチャート
【図９】本発明の実施の形態１における電波アイコン更新時のメニューアイコン点滅の動作を示すフローチャート
【図１０】本発明の実施の形態２における無線通信端末の表示例を示す図
【図１１】本発明の実施の形態３における無線通信端末の表示例を示す図
【発明を実施するための形態】
【００１７】
（実施の形態１）
以下、本発明の実施の形態１における無線通信端末について、図面を用いて説明する。
【００１８】
図１は、本発明の実施の形態１における無線通信端末の構成を示すブロック図である。図１において、本発明の実施の形態１における無線通信端末は、第１の無線通信手段１０から第ｎの無線通信手段１２までの複数の無線通信手段を備えている。
【００１９】
例えば、第１の無線通信手段１０は、携帯電話の高速通信仕様のひとつである３ＧＬＴＥ（３ＧＰＰ  Ｌｏｎｇ  Ｔｅｒｍ  Ｅｖｏｌｕｔｉｏｎ）とし、第２の無線通信手段１１は、高速データ通信仕様のひとつであるＷｉＭＡＸ（Ｗｏｒｌｄｗｉｄｅ  Ｉｎｔｅｒｏｐｅｒａｂｉｌｉｔｙ  Ｆｏｒ  Ｍｉｃｒｏｗａｖｅ  Ａｃｃｅｓｓ）とするなど目的用途に適した異なる無線通信方式を採用する。
【００２０】
個々の無線通信手段は、それぞれの通信アンテナを介して無線通信基地局などから受信した受信データを受信レベル監視部１３に出力する。また受信レベル監視部１３から出力された送信データをそれぞれの通信アンテナを介して無線通信基地局などに送信する。
【００２１】
ＣＰＵ（Ｃｅｎｔｒａｌ  Ｐｒｏｃｅｓｓｉｎｇ  Ｕｎｉｔ）１４は、マイクロコンピュータを主体として構成され、所定のプログラムに基づいた各種処理や各種機能の実行やデータの入出力などを行ない、無線通信端末を統括的に制御する。
【００２２】
受信レベル監視部１３は、ＣＰＵ１４の指示に基づいて複数の無線通信手段のうちから特定の無線通信手段を選択し、通信アンテナを介して受信した受信データの電波電界強度を計測し、計測データをＣＰＵ１４に渡す。
【００２３】
例えば、受信レベル監視部１３より受理した特定の無線通信手段が受信した受信データの電波電界強度に関する計測値を記憶部１５に格納されている電波アイコンテーブル１５１に照合して受信レベルを表示する電波アイコンを決定する。また、特定の無線通信手段を同じく記憶部１５に格納されているカラーテーブル１５２に照合して対応する色情報を取得する。さらに、特定の無線通信手段を同じく記憶部１５に格納されているメニューテーブル１５３に照合して特定の無線通信手段を必要とするメニューを決定する。これにより、特定の無線通信手段の受信レベルを表示する電波アイコンを対応した色情報を採用して生成する。また、特定の無線通信手段を必要とするメニューを表示するメニューアイコンを対応した色情報を採用して生成する。
【００２４】
記憶部１５は、記憶媒体やメモリなどで構成され、電波アイコンテーブル１５１やカラーテーブル１５２やメニューテーブル１５３やメニューに対応付けられた各種のアプリケーションプログラムよりなるアプリケーションテーブル１５４などが格納されている。また、着信や発信の更新履歴や電話帳などが記憶されている。
【００２５】
タイマ１６は、ＣＰＵ１４に接続されており、表示部の日時表示や電波アイコンの表示時間制御や通信時間の時間計測などを行なう。
【００２６】
表示部１７は、液晶表示装置や有機ＥＬなどの表示デバイスで構成され、ＣＰＵ１４で生成された電波アイコンやメニューアイコンの表示やＣＰＵ１４の制御によって無線通信端末を操作するための各種情報や無線通信端末が送受信した各種情報などが表示される。
【００２７】
操作部１８は、各種の入力情報をＣＰＵ１４に出力し、機器を作動させるために必要な数字スイッチ、メニュースイッチ、カーソルスイッチ、決定スイッチ、フックスイッチなどを備える。
【００２８】
図２は、電波アイコンテーブルの表示例を示す図である。図２に示すように、電波アイコンテーブル１５１は、受信レベル監視部１３で計測した受信データの電波電界強度（ｄＢ）を４区分し、電波受信レベルとアンテナバー数の異なる電波アイコンとを関連付けたものである。
【００２９】
例えば、最も電波受信レベルの強いレベル「大」の場合には、アンテナバー数３本の電波アイコンが決定される。
【００３０】
図３は、カラーテーブルの構造例を示す図である。図３に示すように、カラーテーブル１５２は、個々の無線通信手段と色情報とを関連付けたものである。
【００３１】
例えば、無線通信手段が３ＧＬＴＥの場合には、色情報として青が取得でき、電波受信レベルを表示する電波アイコンと無線通信手段の３ＧＬＴＥの動作を必要とするメニューのメニューアイコンとを青色で表示する。
【００３２】
図４は、メニューテーブルの構造例を示す図である。図４に示すように、メニューテーブル１５３は、画面に表示されるメニューとメニューの動作に必要な無線通信手段とを関連付けたものである。
【００３３】
例えば、メニューが大容量動画サービスの場合には、無線通信手段は３ＧＬＴＥを必要とする。
【００３４】
図５、図６および図７は、表示部の表示例を示す図である。図５は、メニュー一覧を選択表示し、無線通信手段が３ＧＬＴＥで、電波受信レベルが大の場合の表示例である。
【００３５】
図５に示すように、表示部１７は、電波アイコン４１が表示されるステータス表示領域１７１とタイトル４３が表示されるタイトル表示領域１７２とメニューとメニューアイコンが表示されるメニュー表示領域１７３とに大別され、さらに、メニュー表示領域１７３は、タイトル４３の下層のメニュー４４と個々のメニュー４４に付帯したメニューアイコン４５とが表示される。
【００３６】
ステータス表示領域１７１には、電波受信レベルに対応したアンテナバー数が３本で、第１の無線通信手段である３ＧＬＴＥに対応した色情報（青色）で電波アイコン４１が表示されている。
【００３７】
また、タイトル表示領域１７２には、選択したメニューの総括呼称であるメニュー一覧が表示されている。
【００３８】
さらに、メニュー表示領域１７３には、選択したメニュー一覧の下層にある大容量動画サービスや事業者独自の特定サービスなどのメニュー４４が表示されている。第１の無線通信手段である３ＧＬＴＥの動作を必要とする事業者独自の特定サービスとブラウザに付帯されたメニューアイコンは青色表示されている。また、第２の無線通信手段であるＷｉＭＡＸの動作を必要とする大容量動画サービスとブラウザに付帯されたメニューアイコンは緑色表示されている。なお、メニューの電話帳と辞書とは、動作に無線通信手段を必要としないため付帯するメニューアイコンは有していない。
【００３９】
利用者は電波アイコン４１の電波受信レベルと色（青色）を見て、３ＧＬＴＥの動作が可能であり、電波アイコン４１の表示色と同じ青色表示されたメニューアイコンが付された大容量動画サービスとブラウザが利用可能であることがわかる。
【００４０】
図６は、タイマにより所定時間経過した後、ステータス表示領域１７１に、電波受信レベルに対応したアンテナバー数が３本で、色情報が第２の無線通信手段であるＷｉＭＡＸに対応した色（緑色）に更新された状態を示している。
【００４１】
利用者は電波アイコン４１の電波受信レベルと色（緑色）を見て、ＷｉＭＡＸの動作が可能であり、電波アイコン４１の表示色と同じ緑色表示されたメニューアイコンが付された大容量動画サービスとブラウザが利用可能であることがわかる。
【００４２】
なお、更新時には、大容量動画サービスとブラウザに付された電波アイコンを点滅して表示を行うようにしてもよい。このように更新時において、動作可能なメニューのメニューアイコンを点滅表示による強調表示した場合には、色覚異常の利用者も更新された無線通信手段により希望するサービスが利用可能となったことがわかる。
【００４３】
図７は、ブックマークを選択表示し、無線通信手段がＷｉＭＡＸで、電波受信レベルが中の場合の表示例であり、図５と異なる内容についてのみ説明する。
【００４４】
ステータス表示領域１７１には、電波受信レベルに対応したアンテナバー数が２本で無線通信手段に対応した色情報は緑色で電波アイコン４１が表示されている。
【００４５】
ステータス表示領域１７１には、受信レベルに対応したアンテナバー数で無線通信手段に対応した表示色で電波アイコン４１が表示されている。
【００４６】
また、タイトル表示領域１７２には、選択したメニューの総括呼称であるブックマークが表示されている。
【００４７】
さらに、メニュー表示領域１７３には、選択したメニュー一覧の下層にある大容量動画サイトや通信事業者提供のサーバサイトなどのメニュー４４が表示されている。第２の無線通信手段であるＷｉＭＡＸの動作を必要とする大容量動画サイトと新幹線の時刻表とパナソニックリゾート嵐山に付帯されたメニューアイコンは緑色表示されている。また、第１の無線通信手段である３ＧＬＴＥの動作を必要とする通信事業者提供のサーバサイトに付帯したメニューアイコンと新幹線の時刻表およびパナソニックリゾート嵐山に付帯したもうひとつのメニューアイコンは青色表示されている。
【００４８】
利用者は電波アイコン４１の電波受信レベルと色（緑色）を見て、ＷｉＭＡＸの動作が可能であり、電波アイコン４１の表示色と同じ緑色表示されたメニューアイコンが付された通信事業者提供のサーバサイト、新幹線の時刻表およびパナソニックリゾート嵐山のサービスが利用可能であることがわかる。
【００４９】
タイマにより所定時間経過した後における更新時の表示は、図５、図６の場合と同様である。
【００５０】
以上のように構成された無線通信端末について、図８のフローチャートを用いてメニューアイコン表示の動作を説明する。
【００５１】
無線通信端末を起動すると予めの設定と選択に基づいて、表示部１７のタイトル表示領域１７２に総括呼称のタイトル４３およびメニュー表示領域１７３に選択したタイトルの下層にあるメニューが表示されている。
【００５２】
まず、図８において同時に表示する個々のメニュー項目に対して、メニューテーブル１５３より必要な無線通信手段を取得する（Ｓ７１）。次に、必要な個々の無線通信手段に対して、電波アイコンと同一のカラーテーブル１５２より無線通信手段に関連づけられた色情報を取得する（Ｓ７２）。そして、取得した色情報でメニュー項目にアイコン表示する（Ｓ７３）。
【００５３】
以降、次の無線通信手段に対して、電波アイコンに対応する色情報を取得し、取得した色情報でメニュー項目にアイコン表示する処理を繰り返す（Ｓ７２からＳ７３）。
【００５４】
以上の処理は、同時に表示するメニュー項目に対して繰り返され（Ｓ７１からＳ７４）、この結果図５、図６に示したように搭載された２つの無線通信手段である３ＧＬＴＥとＷｉＭＡＸに対応したメニュー表示がされる。
【００５５】
また、図６に示すメニュー一覧から、ブックマークに変更されたときには、選択したブックマークの下層にある同時に表示すべき個々のメニューに対して上記と同様の処理がされ、図７に示す表示に変更される。
【００５６】
次に、図９のフローチャートを用いて電波アイコン更新時のメニューアイコン点滅の動作を説明する。
【００５７】
図９において、無線通信端末はタイマにより所定時間経過するかを監視し（Ｓ８１）、これから電波アイコンで表示する無線通信手段を選択する（Ｓ８２）。
【００５８】
選択した無線通信手段の受信レベルを受信レベル監視部１３より受け取り、対応する電波アイコン区分を取得するとともに、色情報をカラーテーブル１５２より取得する（Ｓ８３）。
【００５９】
次に、取得した受信レベルの電波アイコンについて、取得した色情報で表示する（Ｓ８４）。
【００６０】
さらに、表示中のメニュー項目に対して、電波アイコンに受信レベルが表示されている無線通信手段がメニュー動作に必要か同かを判定し（Ｓ８５）、ＹＥＳの場合は、当該メニューアイコンを点滅し表示する（Ｓ８６）。
【００６１】
以降、最終のメニュー項目について表示が完了するまで、次のメニュー項目に対して同様の処理を行う（Ｓ８５からＳ８６）。こうして、ひとつの無線通信手段に対する処理が完了したら、次に電波アイコンで表示する無線通信手段を選択し、先の無線通信手段に対する同様の処理を行う（Ｓ８２からＳ８６）。
【００６２】
この結果、搭載された第１の無線通信手段である３ＧＬＴＥから第２の無線通信手段であるＷｉＭＡＸに切り替わる際に、電波アイコンの色が無線通信手段対応した色に変化し、それと同時にメニューアイコンが点滅表示される。
【００６３】
以上のように、本発明の実施の形態１における無線通信端末によれば、複数の無線通信手段を備え、個々の無線通信手段の電波受信レベルを表示する電波アイコンと無線通信手段を必要とするメニューのメニューアイコンとを同一画面上に、且つ電波アイコンの表示色とメニューアイコンの表示色とを同一色で表示するため、無線通信を必要とするメニューの動作可否をメニュー選択前に容易に確認でき利用者の操作性を向上させることができる。
【００６４】
また、動作可能なメニューのメニューアイコンを点滅表示による強調表示した場合には色覚異常の利用者も無線通信手段により希望するサービスが利用可能となったことがわかる。
【００６５】
（実施の形態２）
以下、電波アイコンとメニューアイコンを同一画面に表示する無線通信端末の実施の形態２について説明する。
【００６６】
図１０は、本発明の実施の形態２における無線通信端末の表示例を示す図である。
【００６７】
図１０は、図５に対応するものであり、図５と同一部分には同一符号を付し、これについての説明は省略する。
【００６８】
図５との相違点は、ステータス表示領域１７１に無線通信手段に対応した表示色で複数の電波アイコンを同時表示するとともに、同時にメニューに付帯したメニューアイコンをも対応した表示色で表示したものである。
【００６９】
図１０は、無線通信手段が３ＧＬＴＥとＷｉＭＡＸで、３ＧＬＴＥの電波受信レベルが大でＷｉＭＡＸの電波受信レベルが中の場合の表示例である。
【００７０】
ステータス表示領域１７１には、３ＧＬＴＥに対応した電波アイコン４１−１が青色表示され、ＷｉＭＡＸに対応した電波アイコン４１−２が緑色表示されている。
【００７１】
また、メニュー表示領域１７３には、選択したメニュー一覧の下層にある大容量動画サービスや事業者独自の特定サービスなどのメニュー４４が表示されている。大容量動画サービスに付帯したメニューアイコンは緑色表示され、事業者独自の特定サービスに付帯されたメニューアイコンは青色表示されている。異なる複数の無線通信手段のいずれでも動作するブラウザに付帯したメニューアイコンは一方が青色表示され他方が緑色表示されている。なお、一方の電波アイコンと対応するメニューアイコンとを点滅表示による強調表示するようにしてもよい。
【００７２】
このように複数の電波アイコンと対応するメニューアイコンとを同一画面上に、且つ電波アイコンの表示色とメニューアイコンの表示色とを同一色で並列表示することによって利用を希望するメニューの選択がより容易となり、操作性はさらに向上する。
【００７３】
（実施の形態３）
図１１は、本発明の実施の形態３における無線通信端末の表示例を示す図である。
【００７４】
図１１は、図５に対応するものであり、図５と同一部分には同一符号を付し、これについての説明は省略する。
【００７５】
図５との相違点は、異なる複数の無線通信手段のいずれでも動作するメニューに付帯したメニューアイコンを複数配置せずにひとつのメニューアイコンを配置したものである。
【００７６】
図１１は、無線通信手段が３ＧＬＴＥとＷｉＭＡＸで、３ＧＬＴＥの電波受信レベルが大の場合の表示例である。
【００７７】
ステータス表示領域１７１には、３ＧＬＴＥに対応した電波アイコン４１が青色表示されている。また、事業者独自の特定サービスとブラウザに付帯したメニューアイコンは青色表示され、大容量動画サービスに付帯したメニューアイコンは非表示である。なお、前述のようにメニューアイコンを点滅表示による強調表示するようにしてもよい。
【００７８】
このようにメニューに付帯したメニューアイコンをひとつにすることによって表示の簡素化が図れ、操作性はさらに向上する。
【００７９】
なお、以上の本発明の実施の形態１から３では、メニューに付帯したメニューアイコンを対応した表示色で表示するように説明したが、メニューをシンボル化したメニューピクトで表示し、このメニューピクトを対応した表示色の枠で囲むとか対応した表示色でバックライト表示するようにしてもよい。
【産業上の利用可能性】
【００８０】
以上のように、本発明にかかる無線通信端末は、無線通信手段の受信レベルを表示する電波アイコンの表示色と無線通信手段を必要とするメニューのメニューアイコンの表示色とを同一画面上に、且つ電波アイコンの表示色とメニューアイコンの表示色とを同一色で表示することによって、無線通信を必要とするメニューの動作可否をメニュー選択前に容易に確認できるという効果を有し、無線通信手段を装備した携帯電話、ＰＤＡ（Ｐｅｒｓｏｎａｌ  Ｄｉｇｉｔａｌ  Ａｓｓｉｓｔａｎｔ）、ゲーム機などの機器に有用である。
【符号の説明】
【００８１】
１０    第１の無線通信手段
１１    第２の無線通信手段
１２    第ｎの無線通信手段
１３    受信レベル監視部
１４    ＣＰＵ
１５    記憶部
１６    タイマ
１７    表示部
１８    操作部
４１    電波アイコン
４３    タイトル
４４    メニュー
４５    メニューアイコン
１５１    電波アイコンテーブル
１５２    カラーテーブル
１５３    メニューテーブル
１５４    アプリケーションテーブル
１７１    ステータス表示領域
１７２    タイトル表示領域
１７３    メニュー表示領域
【図１】
2011239049.tif 000003
【図２】
2011239049.tif 000004
【図３】
2011239049.tif 000005
【図４】
2011239049.tif 000006
【図５】
2011239049.tif 000007
【図６】
2011239049.tif 000008
【図７】
2011239049.tif 000009
【図８】
2011239049.tif 000010
【図９】
2011239049.tif 000011
【図１０】
2011239049.tif 000012
【図１１】
2011239049.tif 000013